(57)【要約】【課題】所要の架線工事を行う際に使用される配線器具、あるいは、引下線を接続する際に行う電線の絶縁被覆の剥がし作業をできるだけ少なくできるようにする。【解決手段】露出せしめた電線Ｄの芯線部位が挿通される電線挿通路９を内部に有する主カバー２と、該芯線部位の露出長を延長して、電線挿通路９の開口端部から外部に臨出させた芯線端部Ｓ'を保護する補助カバー１５とから構成される保護カバーであって、前記補助カバー１５を、前記電線挿通路９の開口端部を介して前記主カバー２内に出退自在に設ける。【選択図】図２
2010213486.tif 000002
【特許請求の範囲】
【請求項１】
露出せしめた電線（Ｄ）の芯線部位が挿通される電線挿通路（９）を内部に有する主カバー（２）と、該芯線部位の露出長を延長して、電線挿通路（９）の開口端部から外部に臨出させた芯線端部（Ｓ'）を保護する補助カバー（１５）とから構成される保護カバーであって、
前記補助カバー（１５）は、前記電線挿通路（９）の開口端部を介して前記主カバー（２）内に出退自在に設けられることを特徴とする保護カバー。
【請求項２】
前記電線挿通路（９）の開口端部に対する補助カバー（１５）の挿入位置を位置決めできるように、所定の間隔をおいて一対の位置決め用突起（１８，１９）が外面に形成されることを特徴とする請求項１に記載の保護カバー。
【請求項３】
前記電線挿通路（９）の開口端部の内側に位置する位置決め用突起（１８）よりも内方に、該開口端部の内面に係止する係止用突起（２０）が形成されることを特徴とする請求項２に記載の保護カバー。
【請求項４】
前記主カバー（２）は、ヒンジ部（４）を介して開閉自在に連結されると共に、閉じられた状態で、前記電線挿通路（９）を形成する一対のカバー体（３，３）を備え、
前記補助カバー（１５）は、該各カバー体（３，３）の合わせ目に沿って移動できるように、主カバー（２）側の外面に突片（２３）が形成されることを特徴とする請求項１乃至３のいずれか１項に記載の保護カバー。
【請求項５】
前記補助カバー（１５）を前記電線挿通路（９）の開口端部を介して前記主カバー（２）内に出退させるための突片（２４）が、前記芯線端部（Ｓ'）の絶縁被覆の端部側の外面に形成されることを特徴とする請求項１乃至４のいずれか１項に記載の保護カバー。
【請求項６】
前記補助カバー（１５）は、前記芯線端部（Ｓ'）を被覆する適正位置を目視できるように、識別表示部（２５）が設けられることを特徴とする請求項１乃至５のいずれか１項に記載の保護カバー。
【請求項７】
前記補助カバー（１５）は、前記芯線端部（Ｓ'）を覆う適正位置よりも引き出されたことを目視できるように、識別表示部（２６）が設けられることを特徴とする請求項６に記載の保護カバー。
【請求項８】
露出せしめた電線（Ｄ）の芯線部位が挿通される電線挿通路（９Ａ，９Ｂ）を内部に有する主カバー（２Ａ，２Ｂ）と、該芯線部位の露出長を延長して、電線挿通路（９Ａ，９Ｂ）の開口端部から外部に臨出させた芯線端部（Ｓ'）を保護する補助カバー（３０，３５）とから構成される保護カバーであって、
前記補助カバー（３０，３５）は、前記電線挿通路（９Ａ，９Ｂ）の開口端部から軸外方向に延出されると共に、開閉自在に設けられる一対の被覆部（３３，３３、３７，３７）を備えることを特徴とする保護カバー。
【発明の詳細な説明】
【技術分野】
【０００１】
本発明は、所要の架線工事を行う際に使用される配線器具、あるいは引下線を接続するために、電線の絶縁被覆を剥がして露出させた芯線部位を保護するようにした保護カバーに関する。
【背景技術】
【０００２】
従来より、所要の工事を行う際に使用される配線器具を接続する架線工事として、例えば、露出せしめた電線の芯線部位を挟持して、電線を張線状態にした引留箇所においては、点検などを行う場合、作業の安全を図るべく、給電を停止させた後に、引留箇所の近傍部位において、間接活線用被覆剥離工具によって、新たに絶縁被覆を剥離して芯線を露出させた後、該芯線部位に、電気的に直列接続された３つのクリップからなる接地短絡器具（配線器具）を接続して、電線と大地との間を接地短絡することが行われている。
【０００３】
また、電柱に架線されている電線から引下線を分岐して変圧器に接続する分岐箇所においては、間接活線用被覆剥離工具によって、その電線の絶縁被覆を剥がして引下線をコネクタにより導通接続することが行われている。
【０００４】
なお、前記接地短絡器具及び被覆剥離用工具については、例えば特許文献１，２に開示されているものがある。
【先行技術文献】
【特許文献】
【０００５】
【特許文献１】実開平７−７０７６号公報
【特許文献２】特開平７−１７７６３１号公報
【発明の概要】
【発明が解決しようとする課題】
【０００６】
したがって、前記引留箇所では、接地短絡器具を接続しようとすれば、所定幅の絶縁被覆を新たに剥がす作業が必要になるため、その作業に多大の労力と時間を要するという問題がある。
【０００７】
また、前記分岐箇所においても、架線に分岐線を接続しようとすれば、引留箇所と同様の問題が生じる。
【０００８】
そこで、本発明は、上記問題点を鑑み、所要の架線工事を行う際に使用される配線器具、あるいは、引下線を接続する際に行う絶縁被覆の剥がし作業をできるだけ少なくできるようにした保護カバーを提供することを目的とする。
【課題を解決するための手段】
【０００９】
前記課題を解決するために、本発明に係る保護カバーは、露出せしめた電線Ｄの芯線部位が挿通される電線挿通路９を内部に有する主カバー２と、該芯線部位の露出長を延長して、電線挿通路９の開口端部から外部に臨出させた芯線端部Ｓ'を保護する補助カバー１５とから構成される保護カバーであって、前記補助カバー１５は、前記電線挿通路９の開口端部を介して前記主カバー２内に出退自在に設けられることを特徴とする。
【００１０】
この場合、補助カバー１５が、主カバー２の電線挿通路９の開口端部を介して主カバー２内に出退できるので、通常時、外部に臨出する電線Ｄの芯線端部Ｓ'は、補助カバー１５によって保護される。一方、架線工事による配線器具、あるいは、引下線の接続時、補助カバー１５を主カバー２側または絶縁被覆側に移動させるだけで、前記芯線端部Ｓ'が露出されるので、配線器具や引下線を簡単に接続できる。また、前記芯線端部Ｓ'は、主カバー２の電線挿通路９に挿通される芯線部位の露出長よりも余分に剥がされることによって形成されるので、接地短絡器具などの配線器具を接続する場合は、絶縁被覆の剥がし作業が不要になる。つまり、工事作業の効率化が図れるようになる。
【００１１】
また、本発明によれば、前記電線挿通路９の開口端部に対する補助カバー１５の挿入位置を位置決めできるように、所定の間隔をおいて一対の位置決め用突起１８，１９を外面に形成するような構成を採用することもできる。
【００１２】
この場合、補助カバー１５の一対の位置決め用突起１８，１９の間に、主カバー２の電線挿通路９の開口端部を位置させることで、補助カバー１５を適正な位置、即ち外部に臨出する芯線端部Ｓ'を保護できる位置に位置決めできる。つまり、通常時における芯線端部Ｓ'の安全対策が講じられる。
【００１３】
また、本発明によれば、前記電線挿通路９の開口端部の内側に位置する位置決め用突起１８よりも内方に、該開口端部の内面に係止する係止用突起２０を形成するような構成を採用することもできる。
【００１４】
この場合、電線挿通路９の開口端部が該開口端部の内側に位置する位置決め用突起１８を越える位置まで、補助カバー１５を引き出したとしても、係止用突起２０が電線挿通路９の開口端部の内面に係止するようになるので、主カバー２から補助カバー１５が必要以上に引き抜けなくなる。即ち、補助カバー１５を主カバー２から強引に引き抜こうとしても、外部に臨出する芯線端部Ｓ'が保護されている状態が維持される。
【００１５】
また、本発明によれば、前記主カバー２を、ヒンジ部４を介して開閉自在に連結すると共に、閉じられた状態で、前記電線挿通路９を形成する一対のカバー体３，３を備え、前記補助カバー１５を、該各カバー体３，３の合わせ目に沿って移動できるように、主カバー２側の外面に突片２３を形成するような構成を採用することもできる。
【００１６】
この場合、主カバー２の一対のカバー体３，３の合わせ目に、補助カバー１５の突片２３が挿入されるようになるので、該突片２３が、主カバー２に対する補助カバー１５の挿入及び引き出しのガイドになり、円滑な出退、即ち補助カバー１５の往復動が可能になると共に、前記電線挿通路９の開口端部における補助カバー１５の回転止めになる。
【００１７】
また、本発明によれば、前記補助カバー１５を前記電線挿通路９の開口端部を介して主カバー２内に出退させるための突片２４を、前記芯線端部Ｓ'の絶縁被覆の端部側の外面に形成するような構成を採用することもできる。
【００１８】
この場合、突片２４を間接活線用把持具によって把持することで、前記芯線端部Ｓ'を露出したり、被覆したりする操作を容易に行えるようになる。つまり、工事の作業効率の向上が図れる。
【００１９】
また、本発明によれば、前記芯線端部Ｓ'を被覆する適正位置を目視できるように、識別表示部２５を前記補助カバー１５に設けるような構成を採用することもできる。
【００２０】
この場合、前記芯線端部Ｓ'を被覆する適正位置を目視できるように、補助カバー１５に識別表示部２５を設けるようにしたので、補助カバー１５の位置ずれによる前記芯線端部Ｓ'の露出を防止できる。換言すれば、外部に臨出する芯線端部Ｓ'を常に保護できる。
【００２１】
また、本発明によれば、前記芯線端部Ｓ'を覆う適正位置よりも引き出されたことを目視できるように、識別表示部２６を前記補助カバー１５に設けるような構成を採用することもできる。
【００２２】
この場合、識別表示部２６を視認することによって、前記適正位置よりも補助カバー１５が引き出されたことを認識できるようにしたので、補助カバー１５の引き出しすぎによる、芯線端部Ｓ'の露出を防止できる。即ち、外部に臨出する芯線端部Ｓ'を補助カバー１５によって常に保護できるようになる。
【００２３】
また、本発明に係る保護カバーは、露出せしめた電線Ｄの芯線部位が挿通される電線挿通路９Ａ，９Ｂを内部に有する主カバー２Ａ，２Ｂと、該芯線部位の露出長を延長して、電線挿通路９Ａ，９Ｂの開口端部から外部に臨出させた芯線端部Ｓ'を保護する補助カバー３０，３５とから構成される保護カバーであって、前記補助カバー３０，３５は、前記電線挿通路９Ａ，９Ｂの開口端部から軸外方向に延出されると共に、開閉自在に設けられる一対の被覆部３３，３３、３７，３７を備えることを特徴とする。
【００２４】
この場合、主カバー２０，２００の電線挿通路９Ａ，９Ｂの開口端部から延長された一対の被覆部３３，３３、３７，３７を開くことで、外部に臨出した芯線端部Ｓ'を容易に露出させることができる。つまり、該芯線端部Ｓ'に接地短絡器具などを容易に接続できる。また、所要の架線工事の終了後、各被覆部３３，３３、３７，３７を閉じるだけで、前記芯線端部Ｓ'を確実に保護できる。
【発明の効果】
【００２５】
以上のように、本発明によれば、主カバーの内部に形成される電線挿通路に挿通される電線の芯線部位の露出長を延長して、外部に臨出させた芯線端部を、該電線挿通路の開口端部に対して出退できる補助カバーによって、露出したり、被覆したりするようにしたので、電線の絶縁被覆の剥がし作業に対する労力の軽減と時間短縮を行うことができる。
【００２６】
また、前記補助カバーを、開閉自在に連結される一対の被覆部によって構成するようにしたので、前記と同様の効果を奏する。
【図面の簡単な説明】
【００２７】
【図１】本発明の実施形態１に係る保護カバーを示し、補助カバーを主カバーに実装した状態を示す側面図。
【図２】図１の断面図。
【図３】（ａ）は補助カバーを示す斜視図、（ｂ）は補助カバーを径方向に切断した断面図。
【図４】（ａ）は本発明の実施形態２に係る保護カバーを示す側面図、（ｂ）は正面図。
【図５】図３の保護カバーを構成する一対の被覆部を開いた状態を示す平面図。
【図６】本発明の実施形態３に係る保護カバーを示し、一対の被覆部を開いた状態を示す図。
【発明を実施するための形態】
【００２８】
以下、本発明の実施形態に係る保護カバーについて、図１〜図５を参照しつつ説明する。なお、本実施形態においては、「背景技術」で説明した「電線の引留箇所」を例にとって説明する。
【００２９】
（実施形態１）
まず、本実施形態１に係る保護カバー１は、図１に示すように、ヒンジ部４を介して開閉自在に連結される一対のカバー体３，３を備えた主カバー２と、露出せしめた電線Ｄの芯線Ｓを上方から跨ぐように被覆する補助カバー１５とで構成されている。
【００３０】
主カバー２は、図１及び図２に示すように、線対称に配置された一対のカバー体３，３がヒンジ部４で開閉自在に連結され、前記一対のカバー体３，３には、引留クランプ５を覆うカバー本体部６のまわりに、電線Ｄを引き込むための電線挿入筒部７、及び、電線（縁線）Ｄ'を引き出すための電線引出筒部８で構成される電線挿通路９と、耐張碍子１０の連結部材１１を覆うための碍子連結部１２とを備えている。
【００３１】
補助カバー１５は、図３（ａ）、（ｂ）に示すように、外観視略筒状を呈している。下側の外周面に軸方向に沿って開口部１６が形成され、自体の弾性によって対向する開口端部１６ａ，１６ａが近接離間するようになっている。そして、補助カバー１５は、露出せしめた電線Ｄの芯線部位を上方から跨ぐように覆っている。また、補助カバー１５は、基端部の外面に鍔部１７が形成され、基端部の内面が、電線Ｄの絶縁被覆の外周面に当接すると共に、先端部側の内面が芯線Ｓを覆う。また、補助カバー１５は、中途部の外面の上側に、所定の間隔をおいて一対の位置決め用突起１８，１９が形成されている。また、補助カバー１５は、先端部の外面の上側に、主カバー２の電線挿入筒部７の開口端部の内面に係止する係止用突起２０が形成されている。また、補助カバー１５は、先端部２１において、下方から斜め上方に立ち上がる傾斜部を有している。そして、補助カバー１５は、図３（ｂ）に示すように、略筒状の空洞部２２が形成され、該空洞部２２において、芯線Ｓを覆うことになる。
【００３２】
また、各位置決め用突起１８，１９の間に、主カバー２の電線挿入筒部７の開口端部を位置させることで、主カバー２に対して補助カバー１５を適正な位置、即ち芯線端部Ｓ'を覆う位置に位置決めできる。但し、位置決め用突起１８，１９は、前記電線挿入筒部７の開口端部に対する抵抗が少なくなるようにドーム状の曲面になっているので、それ自体では電線挿入筒部７の開口端部に対して位置規制できるものではなく、位置決め用突起１８，１９の間に位置させることでの位置決め可能な構成になっている。したがって、位置決め用突起１８，１９に対する摩擦抵抗よりも大きな力で補助カバー１５を動かせば、電線挿入筒部７の開口端部に対する出退は可能になる。このため、補助カバー１５の移動を目で確認するための、後述する識別表示部２５，２６が必要になるのである。また、電線挿入筒部７の開口端部が、該開口端部の内側に位置する位置決め用突起１８を越える位置まで補助カバー１５が引き出されたとしても、係止用突起２０が開口端部の内面に係止するようになるので、主カバー２から補助カバー１５が引き抜けなくなる。即ち、補助カバー１５の主カバー２からの抜けを防止することで、主カバー２から外部に臨出する芯線端部Ｓ'の保護を確実にしている。
【００３３】
また、補助カバー１５は、主カバー２の電線挿入筒部７において、カバー体３，３の各開閉端部の隙間を移動すると共に、間接活線用把持具（ヤットコ）で把持される第一突片２３が、電線挿入筒部７の開口端部側、即ち先端部の外面の下側に、軸線に対して直交する方向に形成されている。そして、電線挿入筒部７の開口端部に補助カバー１５を挿入する際に、第一突片２３が、カバー体３，３の各開閉端部の隙間に挿入されるので、該第一突片２３が挿入及び引き出しのガイドになり、円滑な出退が可能になる。なお、第一突片２３は、後述する第二突片２４よりも小さく形成されている理由としては、上述したカバー体３，３の各開閉端部の隙間を移動しやすいようにするためである。したがって、第一突片２３の挿入側に傾斜部を形成するようにしてもよい。また、第一突片２３がカバー体３，３の各開閉端部の隙間に挿入された状態においては、補助カバー１５の回転止めの役目を担っている。
【００３４】
また、補助カバー１５は、電線挿入筒部７の開口端部を介して主カバー２内に対する出退操作を行うための第二突片２４が、前記芯線端部Ｓ'の絶縁被覆の端部側、即ち基端部の外面の下側に、軸線に対して直交する方向に形成されている。そして、この第二突片２４を間接活線用把持具で把持して、補助カバー１５の位置を軸線に沿ってずらす、即ち芯線端部Ｓ'が外部に露出するように補助カバー１５を移動させることで、接地短絡器具などの配線器具の接続及び取り外しを容易に行うことができるようになる。なお、第二突片２４は、上述した第一突片２３よりも大きくしている理由は、間接活線用把持具で把持しやすく、且つ、補助カバー１５の出退操作をしやすくするためである。
【００３５】
また、補助カバー１５は、芯線端部Ｓ'を被覆できる適正位置であることを目視できるように、基端部側に位置する位置決め用突起１９の位置に、幅小の帯状の識別表示部２５が塗布されている。そして、作業者は、この識別表示部２５を目視することで、主カバー２の内部に補助カバー１５が入り込むようなことがなく、外部に臨出する芯線端部Ｓ'を常に保護できる。
【００３６】
また、補助カバー１５は、前記適正位置よりも引き出された、即ち芯線端部Ｓ'が外部に露出した状態であることを認識できるように、先端部側に位置する位置決め用突起１８から係止用突起２０の手前の位置にかけての範囲に幅広の帯状の識別表示部２６が塗布されている。そして、作業者は、識別表示部２６を目視すれば、「引き出しすぎ」であることを認識し、識別表示部２６が見えない位置まで、補助カバー１５を戻すようにする。つまり、主カバー２から補助カバー１５を不用意に引き出すことが防止される。その結果、前記芯線端部Ｓ'を保護できる。なお、識別表示部２５，２６は、補助カバー１５の外周面に帯状に塗布するようにしたが、テープを巻くようにしてもよく、目視できる位置に点在するように、テープや塗料で表示するようにしてもよい。
【００３７】
つぎに使用態様について図２を参照して説明する。まず、引留箇所を構築する際、即ち、電線Ｄの絶縁被覆を剥がす際に、所要の架線工事を行う際に使用される配線器具（例えば接地短絡器具）を接続できるように、主カバー２の内部に形成される電線挿通路（電線挿入筒部７及び電線引出筒部８）９に挿通される電線Ｄの芯線部位を予め多く露出させておき、電線挿入筒部７の開口端部から芯線端部Ｓ'を外部に臨出するようにしておく。
【００３８】
そして、芯線端部Ｓ'を補助カバー１５で保護できるように、間接活線用把持具によって、補助カバー１５の互いの開口端部１６ａ，１６ａを互いに異なる方向に押圧して押し広げた状態にし、該芯線端部Ｓ'の上方に位置させる。この際、補助カバー１５の先端部は、電線挿通路９の開口端部から少し離間させ、基端部は、芯線端部Ｓ'の絶縁被覆の端部の上方に位置させておく。
【００３９】
つぎに、上述した状態から補助カバー１５の開口部１６から芯線端部Ｓ'を内部に入り込ませ、該芯線端部Ｓ'を覆うようにすると、絶縁被覆の端部の外面に、補助カバー１５の基端部の内面が当接し、該基端部を除く部位が、外部に臨出する芯線端部Ｓ'と、主カバー２の電線挿入筒部７に位置する芯線Ｓとを覆うことになる。
【００４０】
そして、間接活線用把持具で第二突片２４を把持して、補助カバー１５の先端部を主カバー２の電線挿入筒部７の開口端部に挿入する。この際、第一突片２３が主カバー２の各カバー体３，３の開閉端部の隙間に入り込むことで、電線挿入筒部７に補助カバー１５の先端部がガイドされながら円滑に挿入される。そして、電線挿入筒部７の開口端部が、補助カバー１５の各位置決め用突起１８を乗り越えて，各位置決め用突起１８，１９の間に位置することで、補助カバー１５が、外部に臨出する芯線端部Ｓ'と電線挿入筒部７の開口端部とに跨るようになり、補助カバー１５に対する主カバー２の位置が位置決めされる。即ち、前記芯線端部Ｓ'が補助カバー１５によって保護された状態になる。
【００４１】
そして、接地短絡器具を前記芯線端部Ｓ'に接続する場合は、補助カバー１５の第二突片２４を間接活線用把持具で把持して、補助カバー１５を主カバー２の電線挿入筒部７にさらに挿入し、補助カバー１５の基端部を、前記芯線端部Ｓ'の絶縁被覆の端部から離間させ、前記芯線端部Ｓ'を露出させる。この際も、前記と同様に、カバー体３，３の各開閉端部の隙間に、補助カバー１５の第一突片２３が挿入することで、電線挿入筒部７に対して補助カバー１５が円滑に挿入されることになる。そして、露出した前記芯線端部Ｓ'に配線器具（接地短絡器具）を接続する。
【００４２】
架線工事終了後、第二突片２４を間接活線用把持具で把持して、補助カバー１５を絶縁被覆側に移動させ、補助カバー１５の基端部の空洞部２２を前記芯線端部Ｓ'の絶縁被覆の端部に押し込み、前記芯線端部Ｓ'を補助カバー１５で覆う。この際、作業者は、補助カバー１５が引き出しすぎないように、識別表示部２５を目視することで、補助カバー１５を適正な位置、即ち主カバー２の電線挿入筒部７の開口端部から見えない位置に引き出す。
【００４３】
なお、前記実施形態１の場合、主カバー２の電線挿通路９の開口端部に対して、補助カバー１５を出退するようにしたが、電線挿入筒部７の内周面に螺旋溝を形成し、該螺旋溝に摺動する突起を補助カバーの外周面に形成し、電線挿入筒部７の開口端部に対して補助カバーが相対回転するようにしてもよい。また、電線挿入筒部７の開口端面に着脱される鍔部を補助カバーの先端部に突設するようにしてもよい。要は、電線挿入筒部７の開口端部から外部に臨出する芯線端部Ｓ'を被覆したり、露出させたりできるように、補助カバーを構成すればよい。
【００４４】
（実施形態２）
つぎに実施形態２に係る保護カバー１Ａについて図４（ａ）、（ｂ）及び図５を参照して説明する。図２と異なる点は、主カバー２Ａと補助カバー３０とが一体化され、さらに、該補助カバー３０が、主カバー２Ａの電線挿通路９Ａの開口端部に開閉自在に設けられた点である。補助カバー３０は、図４（ａ）、（ｂ）に示すように、主カバー２Ａの電線挿通路９Ａの開口端部に連設される円錐台形状の連結部３１と、該連結部３１にヒンジ部３２を介して開閉自在にされた一対の被覆部３３，３３とを備えている。該各被覆部３３，３３は、連結部３１から軸外方向に延出されている。なお、符号３４は、間接活線用把持具で把持するための一対の突片であり、各被覆部３３，３３の下側の外面に鉛直方向に突設されている。そして、図４（ｂ）に示すように、各被覆部３３，３３は、閉じられた状態においては、対向する端面間に隙間が形成されるが、外観視略円筒状を呈している。また、上記突片３４，３４は、対向する内面が平坦に形成されると共に、一方の突片３４の外面は平坦に形成され、他方の突片３４の外面は、上側が厚く、下側が薄くなるように傾斜して形成されている。
【００４５】
そして、前記芯線端部Ｓ'を外部に露出させる場合は、一対の突片３４，３４を間接活線用把持具で把持して、一対の被覆部３３，３３を、ヒンジ部３２を支点にして互いに離間する方向に順次回動させる（図５参照）。また、前記芯線端部Ｓ'を被覆する場合は、離間した被覆部３３，３３を互いに近接するように回動させる。
【００４６】
（実施形態３）
つぎに実施形態３に係る保護カバー１Ｂについて図６を参照して説明する。図２と異なる点は、前記実施形態２と同様に、主カバー２Ｂと補助カバー３５とが一体化され、さらに、補助カバー３５が、主カバー２Ｂの電線挿通路９Ｂの開口端部に開閉自在に設けられた点である。該補助カバー３５は、各カバー体３Ｂ，３Ｂのヒンジ部４Ｂに延長するように設けられたヒンジ部３６と、該ヒンジ部３６に開閉自在に連結され、且つ、電線挿入筒部７の各円弧状部から軸外方向に沿って延出された一対の被覆部３７，３７とを有している。なお、符号３８は、間接活線用把持具で把持するための一対の突片であり、各被覆部３７，３７の下側の外面に鉛直方向に突設されている。また、各被覆部３７，３７は、閉じられた状態においては、略円錐台形状になる。
【００４７】
そして、前記実施形態２と同様に、前記芯線端部を露出させる場合は、各突片３８，３８を間接活線用把持具で把持して、一対の被覆部３７，３７を、ヒンジ部３６を支点にして互いに離間する方向に順次回動させて、前記芯線端部を露出させる（図示せず）。また、前記芯線端部を被覆する場合は、離間した被覆部３７，３７を互いに近接するように回動させて、前記芯線端部を覆うようにする。
【符号の説明】
【００４８】
１，１Ａ，１Ｂ…保護カバー、２，２Ａ，２Ｂ…主カバー、３，３Ａ，３Ｂ…カバー体、５，５Ａ，５Ｂ…引留クランプ、６，６Ａ，６Ｂ…カバー本体部、７，７Ａ，７Ｂ…電線挿入筒部、８，８Ａ，８Ｂ…電線引出筒部、９，９Ａ，９Ｂ…電線挿通路、１０…耐張碍子、１１…連結部材、１２，１２Ａ，１２Ｂ…碍子連結部、１５，３０，３５…保護カバー、１６…開口部、１６ａ…開口端部、３３，３７…被覆部、４，４Ａ，３２，３６…ヒンジ部、１７…鍔部、１８，１９…位置決め用突起、２０…係止用突起、２１…先端部の端部、２２…空洞部、２３…第一突片、２４…第二突片、２５，２６…識別表示部、３４，３８…突片、Ｄ…電線、Ｄ'…電線（縁線）、Ｓ…芯線、Ｓ'…芯線端部、Ｈ…隙間
【図１】
2010213486.tif 000003
【図２】
2010213486.tif 000004
【図３】
2010213486.tif 000005
【図４】
2010213486.tif 000006
【図５】
2010213486.tif 000007
【図６】
2010213486.tif 000008